(57)【要約】【課題】扉体を立てた状態で点検・修理ができるようにすることである。【解決手段】左右の柱間に沿って扉体を開閉装置で全開状態に引き上げ、扉体の左右端部のうち一方、又はその一方の近傍を、その上下方向を中心として回転可能に支持する。扉体の左右端部の一方の上下に回転軸をそれぞれ突出し、扉体昇降空間の上部に配置した上側軸受で、全開した扉体の上側の回転軸を支持し、扉体昇降空間の外部に配置した下側軸受を、支持手段によって扉体昇降空間の高さ中間部へ移動可能に設け、下側軸受は、扉体昇降空間の高さ中間部へ移動した状態で、全開した扉体の下側の回転軸を支持する。【選択図】      図１
2004250875.tif 000002
【特許請求の範囲】
【請求項１】
左右の柱（１，１）間に沿って扉体（４）を開閉装置（３）で全開状態に引き上げ、扉体（４）の左右端部のうち一方、又はその一方の近傍を、その上下方向を中心として回転可能に支持することを特徴とする昇降式水門の扉体点検用支持方法。
【請求項２】
扉体（４）の左右端部の一方の上下に回転軸（２２，２３）をそれぞれ突出し、扉体昇降空間（Ｓ）の上部に配置した上側軸受（２５）で、全開した扉体（４）の上側の回転軸（２２）を支持し、扉体昇降空間（Ｓ）の外部に配置した下側軸受（２７）を、支持手段（２６）によって扉体昇降空間（Ｓ）の高さ中間部へ移動可能に設け、下側軸受（２７）は、扉体昇降空間（Ｓ）の高さ中間部へ移動した状態で、全開した扉体（４）の下側の回転軸（２３）を支持することを特徴とする昇降式水門の扉体点検用支持装置。
【請求項３】
扉体（４）の左右端部の上下に回転軸（２２，２３）をそれぞれ突出し、着脱可能な延長軸（２４）を上側の左右の回転軸（２２）の一方に取り付け、扉体昇降空間（Ｓ）の上部の左右に配置した上側軸受（２５）の一方で、全開した扉体（４）の延長軸（２４）を支持し、扉体昇降空間（Ｓ）の外部の左右に配置した下側軸受（２７）を、支持手段（２６）によって扉体昇降空間（Ｓ）の高さ中間部へ移動可能に設け、下側軸受（２７）は、扉体昇降空間（Ｓ）の高さ中間部へ移動した状態で、全開した扉体（４）の下側の回転軸（２３）を支持することを特徴とする昇降式水門の扉体点検用支持装置。
【発明の詳細な説明】
【０００１】
【発明の属する技術分野】
本発明は、昇降式水門の扉体を点検・修理する際に、扉体を支持する方法及び装置に関する。
【０００２】
【従来の技術】
昇降式水門には、全開状態の扉体の下流側に覆壁が配置されていて、扉体の下流側を目視できないものがある。このような昇降式水門の扉体を従来、点検・修理する場合は、扉体の上流側に架台を仮設すると共に、開閉装置とは別にクレーンを準備していた。そして、扉体を開閉装置で全開に引き上げた後に、クレーンを駆動して扉体を上流側に引き出し、架台に寝かせて置き、扉体を点検・修理していた。扉体の修理としては、塗装や、水密ゴムの交換等が挙げられる。また昇降用の回転部が付いている扉体の場合は、その回転部への給油や交換をする。なお、回転部とは、ローラ、ローラ軸、ローラ軸受が挙げられる。
【０００３】
【発明が解決しようとする課題】
しかし、従来の方法では、架台に扉体を寝かせて水密ゴムを交換したり、架台上で扉体を裏返して扉体の両面を塗装しなければならず、その作業が煩雑である。また、架台の仮設作業やクレーンで扉体を寝かせる作業等に時間がかかり、点検・修理への着手が遅くなる。そこで本発明の解決課題は、扉体を立てた状態で点検・修理ができるようにすることである。
【０００４】
【課題を解決するための手段】
請求項１記載の昇降式水門の扉体点検用支持方法は、左右の柱間に沿って扉体を開閉装置で全開状態に引き上げ、扉体の左右端部のうち一方、又はその一方の近傍を、その上下方向を中心として回転可能に支持することを特徴とする。
【０００５】
「扉体の左右端部の一方の近傍を、その上下方向を中心として回転可能に支持する」とは、扉体自体を軸支するのではなく、扉体の側端部の近傍に、軸支されている別の部材があり、その別の部材に扉体を連結することを意味する。
【０００６】
開閉装置は、扉体を昇降するものであれば良く、具体例としては、ラック式、ワイヤーロープウィンチ式、スピンドル式が挙げられる。開閉装置と扉体との連結を解除すれば、扉体は左右端部の一方を、その上下方向を中心として回転できる。扉体の回転にはウィンチ等の動力を用いても良いし、人間が押しても良い。
【０００７】
請求項２記載の昇降式水門の扉体点検用支持装置は、扉体の左右端部の一方の上下に回転軸をそれぞれ突出し、扉体昇降空間の上部に配置した上側軸受で、全開した扉体の上側の回転軸を支持し、扉体昇降空間の外部に配置した下側軸受を、支持手段によって扉体昇降空間の高さ中間部へ移動可能に設け、下側軸受は、扉体昇降空間の高さ中間部へ移動した状態で、全開した扉体の下側の回転軸を支持することを特徴とする。
【０００８】
下側軸受を扉体昇降空間の外部に配置した状態であれば、扉体の昇降を支障なく行える。支持手段は、下側軸受を移動可能に設けると共に下側軸受を移動した状態で扉体を支えることのできるものであれば良い。また、下側軸受を移動するには、動力を用いても良いし、手動でも良い。
【０００９】
扉体の左右を軸支可能とするには、請求項３記載の昇降式水門の扉体点検用支持装置のように、扉体の左右端部の上下に回転軸をそれぞれ突出し、着脱可能な延長軸を上側の左右の回転軸の一方に取り付け、扉体昇降空間の上部の左右に配置した上側軸受の一方で、全開した扉体の延長軸を支持し、扉体昇降空間の外部の左右に配置した下側軸受を、支持手段によって扉体昇降空間の高さ中間部へ移動可能に設け、下側軸受は、扉体昇降空間の高さ中間部へ移動した状態で、全開した扉体の下側の回転軸を支持することが望ましい。
【００１０】
扉体を上昇させれば、延長軸付きの回転軸が上側軸受の一方に収容され、延長軸の付いてない回転軸が上側軸受の他方には入らないので、扉体の上部は左右の一方のみが支持される。また、同一方向の下側軸受を移動手段で扉体昇降空間の外部から高さ中間部に移動すれば、扉体の下部も同一方向を支持でき、扉体が回転可能に軸支される。
【００１１】
【発明の実施の形態】
本発明に使用する昇降式水門は図１から図５に示すように、左右の柱１，１の上端にスラブ２を架設し、扉体昇降用の開閉装置３をスラブ２に設置し、左右の柱１，１の間に扉体４を昇降可能に設け、左右の柱１，１の下部間の上流側を導入口５、下流側を呑口６とし、扉体４の全閉状態（下降状態）では呑口６を閉鎖し、扉体４の全開状態（上昇状態）では呑口６を開口する。また、両柱１，１の上部間の下流側には覆壁７を有し、一方、上流側には窓８を有し、窓８の上流側から扉体４を出し入れ可能にしてある。
【００１２】
柱１は図５に示すように、その上部を断面Ｌ字状、下部を断面コ字状としてある。柱１の上部は、その下流側にのみ戸当たり９を形成し、その上流側を開放してある。柱１の下部は、その上流側部分（導入口５の両側部分）を案内部１０とし、コ字状に開口する部分が戸溝１１となる。また、左右の戸溝１１，１１の間及びその上方が扉体昇降空間Ｓとなる。
【００１３】
開閉装置３は、ワイヤーロープウィンチ式で、スラブ２にはワイヤーを通す抜穴１２をあけてある。
【００１４】
扉体４は図６から図８に示すように、その上端部には吊り手１３を有し、吊り手１３にピン止めしたシーブ１４には、開閉装置３のワイヤーロープを掛けてある。また、その下流面の上縁部と左右縁部、及び底面に沿って水密ゴム１５を有する。扉体４の左右側面の内部には、ドーナツ板状のローラー軸受１６を有し、ローラー軸受１６でローラー軸１７を回転可能に支持し、ローラー軸１７の先端部を扉体４の側面から外部に突出し、その先端部に固定したローラー１８を戸溝１１内に収容する。また、扉体４の上流面の左右端部には、別のローラー１９が固定されたローラー軸２０をコ字板状のローラー軸受２１で回転可能に支持し、そのローラー１９で扉体４の左右方向のぶれを防止してある。
【００１５】
本発明の扉体点検用支持装置は図１から図５に示すように、扉体４の左右端部の上下に回転軸２２，２３をそれぞれ突出し、着脱可能な延長軸２４を上側の左右の回転軸２２の一方に取り付け、スラブ２の下面の左右には、上側の回転軸２２の真上箇所に一対の上側軸受２５を設け、一方の上側軸受２５では延長軸２４が付いた回転軸２２を支持し、他方の上側軸受２５では回転軸２２を支持しない。また、各案内部１０の上に支持手段２６を有し、下側の回転軸２３を支持する下側軸受２７を、支持手段２６で扉体昇降空間Ｓの外部から扉体昇降空間Ｓの高さ中間部に移動可能に設けてある。
【００１６】
支持手段２６は、扉体昇降空間Ｓの外部で、且つ扉体４の回転範囲の外部に配置してあり、案内部１０の上に筒体２８を、図示しないガイドによって左右にスライド可能に設けると共に、下側軸受２７が先端部に付いたロッド２９を筒体２８に対して往復動可能に設けてある。図５（イ）に示すように、扉体４を軸支する側（図中、下側）の支持手段２６は、筒体２８を導入口５に近づく方向に移動し、扉体４を軸支しない側（図中、上側）の支持手段２６は、筒体２８を導入口５から離れる方向に配置して、扉体４の回転を妨げないようにする。なお、ロッド２９を往復動する機構の例としては、ラック・ピニオンが挙げられる。
【００１７】
上述した扉体点検用支持装置を使用する場合は、まず、図２に示すように、扉体４の全閉状態から、図３に示すように、扉体４を開閉装置３で引き上げて全開状態とし、延長軸２４付きの回転軸２２を一方の上側軸受２５に深く突入させる。このときには、延長軸２４の付いてない回転軸２２の先部が他方の上側軸受２５に突入する。次に、一方の支持手段２６の筒体２８を導入口５に近づく方向にスライドし、ロッド２９を往動させて、下側軸受２７を下側の回転軸２３の真下に配置する。続いて、図４に示すように、開閉装置３で扉体４を少し下げ、下側軸受２７に下側の回転軸２３を挿入すると共に、延長軸２４の付いてない上側の回転軸２２を、上側軸受２５から抜き出し、延長軸２４の付いている上側の回転軸２２のみを上側軸受２５で回転可能に支持する。最後に、ピンを抜いて吊り手１３から開閉装置３を切り離し、窓８を利用して扉体４を回転し、扉体４の下流面を点検・修理する。
【００１８】
また、昇降式水門の別の例は図９及び図１０に示すように、左右の柱１，１には、窓８に相当する範囲に上流側の戸当たり３０を開閉可能に設けたものがある。上流側の戸当たり３０は、ヒンジ３１によって柱１に連結され、上下方向を中心として回転可能となっている。そして、両方の戸当たり３０，３０が開いた状態で、扉体４を上流側に出し入れ可能となっている。
【００１９】
本発明の扉体点検用支持装置の別の例は、扉体４の左右端部を上流側の戸当たり３０にそれぞれボルト等で連結可能としたものである。この場合は、図１０（イ）に示すように、両方の戸当たり３０，３０が閉じた状態から、図１０（ロ）に示すように、一方（図での左側）の戸当たり３０を開くと共に、他方の戸当たり３０を扉体４に連結し、図１０（ハ）に示すように、他方のヒンジ３１を中心として扉体４を回転可能としたものである。
【００２０】
【発明の効果】
本発明は、扉体の左右端部の一方又はその近傍を、その上下方向を中心として回転することができるので、扉体を起立したまま正面側だけでなく裏面側をも目視によって点検できるし、修理も行える。また、本発明の扉体点検用支持装置であれば、従来のような仮設準備等が不要なので、点検・修理にすぐに着手できる。着脱可能な延長軸を設けたものであれば、その取り付け位置を右又は左の上側の回転軸にすれば、扉体を左端部又は右端部を中心にして回転することができる。
【図面の簡単な説明】
【図１】（イ）（ロ）
扉体を回転した状態を示す正面図、Ａ−Ａ線断面図である。
【図２】（イ）（ロ）
扉体の全閉状態を示す正面図、Ａ−Ａ線断面図である。
【図３】（イ）（ロ）
扉体の全開状態を示す正面図、Ａ−Ａ線断面図である。
【図４】（イ）（ロ）
扉体を回転可能に支持した状態を示す正面図、Ａ−Ａ線断面図である。
【図５】（イ）（ロ）
図４のＢ−Ｂ、Ｃ−Ｃ線断面図である。
【図６】
扉体の上下の水密状態を示す縦断面図である。
【図７】
扉体の左側の横断面図である。
【図８】
右半分が扉体の正面、左半分が扉体の裏面を示す図面である。
【図９】
別の昇降式水門を示す正面図である。
【図１０】（イ）（ロ）（ハ）
扉体点検用支持装置の別の例を示す横断面図で、使用手順を三段階で示している。
【符号の説明】
１  柱
３  開閉装置
４  扉体
Ｓ  扉体昇降空間
２２、２３  回転軸
２４  延長軸
２５  上側軸受
２６  支持手段
２７  下側軸受
【図１】
2004250875.tif 000003
【図２】
2004250875.tif 000004
【図３】
2004250875.tif 000005
【図４】
2004250875.tif 000006
【図５】
2004250875.tif 000007
【図６】
2004250875.tif 000008
【図７】
2004250875.tif 000009
【図８】
2004250875.tif 000010
【図９】
2004250875.tif 000011
【図１０】
2004250875.tif 000012